(57)【要約】【課題】通信システムにおいて、データの最大レートを推定するための、そしてデータのレートにおいてデータの伝送に対して必要とされる伝送電力を推定するための方法および装置が開示される。【解決手段】端末は、その上にデータが送信されるべき通信リンクに関する品質メトリックを決定し、そして決定された品質メトリックを品質メトリックマージンだけ修正する。端末はそこで、修正された品質メトリックに従ってデータの最大レートを推定する。あるいは、端末はそこで、データのレートおよび修正された品質メトリックに従って、データのレートにおいてデータの伝送に対して必要とされる伝送電力を推定する。品質メトリックマージンは、あらかじめ設定されあるいは動的に調整される。
2005527137.tif 000002
【特許請求の範囲】
【請求項１】
逆方向リンク最大データレートを推定するための方法であって、
データのソースにおいて、その上にデータが送信されるべきリンクに関する品質メトリックを決定し、
その品質メトリックを品質メトリックマージンだけ修正し、そして
その修正された品質メトリックに従ってデータの最大レートを決定する
ことを含む方法。
【請求項２】
さらに、
その品質メトリックを予測器によって処理する
ことを含む、請求項１記載の方法。
【請求項３】
ここで、予測器によるその品質メトリックのその処理は、
その品質メトリックを線形濾波器によって濾波する
ことを含む、請求項２記載の方法。
【請求項４】
ここで、予測器によるその品質メトリックのその処理は、
その品質メトリックを非線形濾波器によって濾波する
ことを含む、請求項２記載の方法。
【請求項５】
ここで、非線形濾波器によるその品質メトリックのその濾波は、
その品質メトリックをピーク濾波器によって濾波する
ことを含む、請求項４記載の方法。
【請求項６】
ここで、その上にデータが送信されるべきリンクに関する品質メトリックの、データのソースにおけるその決定は、
データのソースにおいて少なくとも１個の信号を受信し、そして
受信された少なくとも１個の信号に従ってその品質メトリックを決定する
ことを含む、請求項１記載の方法。
【請求項７】
ここで、その上にデータが送信されるべきリンクに関する品質メトリックの、データのソースにおけるその決定は、
データのソースにおいて少なくとも１個の第１の参照信号を受信し、そして
受信された少なくとも１個の第１の参照信号および少なくとも１個の第１の参照信号に従ってその品質メトリックを決定する
ことを含む、請求項１記載の方法。
【請求項８】
ここで、その上にデータが送信されるべきリンクに関する品質メトリックの、データのソースにおけるその決定は、
データのソースにおいて帰還信号を受信し、そして
受信された帰還信号に従って品質メトリックを決定する
ことを含む、請求項１記載の方法。
【請求項９】
ここで、その上にデータが送信されるべきリンクに関する品質メトリックの、データのソースにおけるその決定は、
データのソースにおいて少なくとも１個の信号を受信し、
データのソースにおいて帰還信号を受信し、そして
受信された少なくとも１個の信号および受信された帰還信号に従って、その品質メトリックを決定する
ことを含む、請求項１記載の方法。
【請求項１０】
ここで、その上にデータが送信されるべきリンクに関する品質メトリックの、データのソースにおけるその決定は、
データのソースにおいて参照信号を受信し、
データのソースにおいて帰還信号を受信し、そして
参照信号、受信された参照信号、および受信された帰還信号に従って品質メトリックを決定する
ことを含む、請求項１記載の方法。
【請求項１１】
ここで、品質メトリックマージンだけの品質メトリックのその修正は、
あらかじめ設定された品質メトリックマージンだけ品質メトリックを修正する
ことを含む、請求項１記載の方法。
【請求項１２】
ここで、品質メトリックマージンだけのその品質メトリックのその修正は、
第２の参照信号の伝送に対して必要とされる電力が、さきに修正された品質メトリックから決定された第２の参照信号の伝送に対して必要とされる電力を超える場合は、停止事象を宣言し、
あらかじめ設定された間隔の期間中停止事象の発生を検出し、そして
その検出に従ってその品質メトリックを修正する
ことを含む、請求項１記載の方法。
【請求項１３】
ここで、その検出に従ったその品質メトリックのその修正は、
あらかじめ設定された停止事象の数があらかじめ設定された間隔の期間中発生した場合は、現在の品質メトリックマージンを第１の量だけ増加し、そして
その増加された品質メトリックマージンだけその品質メトリックを修正する
ことを含む、請求項１２記載の方法。
【請求項１４】
さらに、
あらかじめ設定された停止事象の数が、あらかじめ設定された間隔の期間中発生しなかった場合は、現在の品質メトリックマージンを第２の量だけ減少し、そして
その減少された品質メトリックマージンだけその品質メトリックを修正する
ことを含む、請求項１３記載の方法。
【請求項１５】
ここで、品質メトリックマージンだけのその品質メトリックのその修正は、
推定されたデータのレートにおけるデータの伝送に対して必要とされる電力が、最大許容可能な伝送電力を超える場合は停止事象を宣言し、
あらかじめ設定された間隔の期間中停止事象の発生を検出し、そして
その検出に従ってその品質メトリックを修正する
ことを含む、請求項１記載の方法。
【請求項１６】
ここで、その検出に従ったその品質メトリックのその修正は、
あらかじめ設定された停止の数があらかじめ設定された間隔の期間中発生した場合は、現在の品質メトリックマージンを第１の量だけ増加し、そして
その増加された品質メトリックマージンだけその品質メトリックを修正する
ことを含む、請求項１５記載の方法。
【請求項１７】
さらに、
あらかじめ設定された停止の数があらかじめ設定された間隔の期間中発生しなかった場合は、現在の品質メトリックマージンを第２の量だけ減少し、そして
その減少された品質メトリックマージンだけその品質メトリックを修正する
ことを含む、請求項１６記載の方法。
【請求項１８】
ここで、あらかじめ設定された停止の数があらかじめ設定された間隔の期間中発生した場合は、第１の量だけの現在の品質メトリックマージンのその増加は、
推定されたデータのレートが、データの最大許容可能なレートに変化しているか否かを決定し、
品質メトリック下側限界を品質メトリックの現在の値にセットし、そして
あらかじめ設定された停止の数があらかじめ設定された間隔の期間中発生した場合は、第１の値だけ品質メトリックを増加する
ことを含む、請求項１６記載の方法。
【請求項１９】
さらに、
もしもその結果となる減少された電力マージンが、電力マージンの下側限界よりも大きい場合は、第２の値だけ電力マージンを減少し、そして
そうでない場合は、電力マージンを電力マージンの下側限界に等しくセットする
ことを含む、請求項１８記載の方法。
【請求項２０】
ここで、あらかじめ設定された停止の数があらかじめ設定された間隔の期間中発生しなかった場合の、第２の量だけの現在の品質メトリックマージンのその減少は、
推定されたデータのレートがデータの最小許容可能なレートに変化しているか否かを決定し、
品質メトリック上側限界を品質メトリックの現在の値にセットし、そして
あらかじめ設定された停止の数があらかじめ設定された間隔の期間中に発生した場合は、第２の値だけ品質メトリックを減少する
ことを含む、請求項１６記載の方法。
【請求項２１】
さらに、
もしもその結果となる増加された電力マージンが電力マージンの下側限界よりもより小さい場合は、第１の値だけ電力マージンを増加し、そして
そうでない場合は電力マージンを電力マージンの下側限界に等しくセットする
ことを含む、請求項２０記載の方法。
【請求項２２】
ここで、あらかじめ設定された停止の数があらかじめ設定された間隔の期間中に発生した場合の、現在の品質メトリックマージンの第１の量だけのその増加は、
推定されたデータのレートがデータの最大許容可能なレートに等しいか否かを決定し、そして
あらかじめ設定された供給停止の数があらかじめ設定された間隔の期間中に発生した場合は、第１の数だけ品質メトリックを増加する
ことを含む、請求項１６記載の方法。
【請求項２３】
さらに、
あらかじめ設定された停止の数があらかじめ設定された間隔の期間中に発生しなかった場合は、電力マージンを変更しない
ことを含む、請求項２２記載の方法。
【請求項２４】
ここで、あらかじめ設定された停止の数があらかじめ設定された間隔の期間中発生しなかった場合の、第２の量だけの現在の品質メトリックマージンのその減少は、
推定されたデータのレートがデータの最小許容可能なレートに等しいか否かを決定し、そして
あらかじめ設定された停止の数があらかじめ設定された間隔の期間中発生しなかった場合は、第２の量だけ品質メトリックを減少する
ことを含む、請求項１６記載の方法。
【請求項２５】
さらに、
あらかじめ設定された停止の数があらかじめ設定された間隔の期間中発生した場合は、電力マージンを変化しないで残す
ことを含む、請求項２０の方法。
【請求項２６】
ここで、修正された品質メトリックに従ったデータの最大レートのその決定は、
修正された品質メトリックに従って伝送電力を決定し、そして
それのその決定された伝送電力が最大許容可能な伝送電力を超えないデータレートを選択する
ことを含む、請求項１記載の方法。
【請求項２７】
停止を検出するための方法であって、
データのソースにおいて、その上にデータが送信されるべきリンクに関する品質メトリックを決定し、
その品質メトリックを品質メトリックマージンだけ修正し、そして
参照信号の伝送に対して必要とされる電力が、修正された品質メトリックから決定された参照信号の伝送に対して必要とされる電力を超える場合は停止事象を宣言する
ことを含む方法。
【請求項２８】
停止を検出するための方法であって、
データのソースにおいて、その上にデータが送信されるべきリンクに関する品質メトリックを決定し、
その品質メトリックを品質メトリックマージンだけ修正し、
その修正された品質メトリックに従ってデータの最大レートを決定し、
データの最大レートにおけるデータの伝送に対して必要とされる電力が、最大許容可能な伝送電力を超える場合は停止事象を宣言する
ことを含む方法。
【請求項２９】
データの伝送に対して必要とされる電力を推定するための方法であって、
データのソースにおいて、その上にデータが送信されるべきリンクに関する品質メトリックを決定し、
その品質メトリックを品質メトリックマージンだけ修正し、そして
その修正された品質メトリックおよびデータのレートに従ってデータの伝送に対して必要とされる電力を決定する
ことを含む方法。
【請求項３０】
さらに、
その品質メトリックを予測器によって処理する
ことを含む、請求項２９記載の方法。
【請求項３１】
ここで、予測器によるその品質メトリックのその処理は、
その品質メトリックを線形濾波器によって濾波する
ことを含む、請求項３０記載の方法。
【請求項３２】
ここで、予測器によるその品質メトリックのその処理は、
その品質メトリックを非線形濾波器によって濾波する
ことを含む、請求項３０記載の方法。
【請求項３３】
ここで、非線形濾波器によるその品質メトリックのその濾波は、
その品質メトリックをピーク濾波器によって濾波する
ことを含む、請求項３２記載の方法。
【請求項３４】
ここで、データのソースにおける、その上にデータが送信されるべきリンクに関する品質メトリックのその決定は、
データのソースにおいて少なくとも１個の信号を受信し、そして
受信された少なくとも１個の信号に従ってその品質メトリックを決定する
ことを含む、請求項２９記載の方法。
【請求項３５】
ここで、データのソースにおける、その上にデータが送信されるべきリンクに関する品質メトリックのその決定は、
データのソースにおいて少なくとも１個の第１の参照信号を受信し、そして
受信された少なくとも１個の第１の参照信号および少なくとも１個の第１の参照信号に従ってその品質メトリックを決定する
ことを含む、請求項２９記載の方法。
【請求項３６】
ここで、データのソースにおける、その上にデータが送信されるべきリンクに関する品質メトリックのその決定は、
データのソースにおいて帰還信号を受信し、そして
受信された帰還信号に従って品質メトリックを決定する
ことを含む、請求項２９記載の方法。
【請求項３７】
ここで、データのソースにおける、その上にデータが送信されるべきリンクに関する品質メトリックのその決定は、
データのソースにおいて少なくとも１個の信号を受信し、
データのソースにおいて帰還信号を受信し、そして
受信された少なくとも１個の信号および受信された帰還信号に従ってその品質メトリックを決定する
ことを含む、請求項２９記載の方法。
【請求項３８】
ここで、データのソースにおける、その上にデータが送信されるべきリンクに関する品質メトリックのその決定は、
データのソースにおいて第１の参照信号を受信し、
データのソースにおいて帰還信号を受信し、そして
第１の参照信号、受信された第１の参照信号、および受信された帰還信号に従って品質メトリックを決定する
ことを含む、請求項２９記載の方法。
【請求項３９】
ここで、品質メトリックマージンだけの品質メトリックのその修正は、
あらかじめ設定された品質メトリックマージンだけ品質メトリックを修正する
ことを含む、請求項２９記載の方法。
【請求項４０】
ここで、品質メトリックマージンだけのその品質メトリックのその修正は、
第２の参照信号の伝送に対して必要とされる電力が、さきに修正された品質メトリックから決定された第２の参照信号の伝送に対して必要とされる電力を超える場合は停止事象を宣言し、
あらかじめ設定された間隔の期間中停止事象の発生を検出し、そして
その検出に従ってその品質メトリックを修正する
ことを含む、請求項２９記載の方法。
【請求項４１】
ここで、その検出に従ったその品質メトリックのその修正は
あらかじめ設定された停止事象の数があらかじめ設定された間隔の期間中発生した場合は、現在の品質メトリックマージンを第１の量だけ増加し、
その品質メトリックをその増加された品質メトリックマージンだけ修正する
ことを含む、請求項４０記載の方法。
【請求項４２】
さらに、
あらかじめ設定された停止事象の数があらかじめ設定された間隔の期間中発生しなかった場合は、現在の品質メトリックマージンを第２の量だけ減少し、
その品質メトリックをその減少された品質メトリックマージンだけ修正する
ことを含む、請求項４１記載の方法。
【請求項４３】
ここで、品質メトリックマージンだけのその品質メトリックのその修正は、
推定されたデータのレートにおけるデータの伝送に対して必要とされる電力が、最大許容可能な伝送電力を超える場合は停止事象を宣言し、
あらかじめ設定された間隔の期間中停止事象の発生を検出し、そして
その検出に従ってその品質メトリックを修正する
ことを含む、請求項２９記載の方法。
【請求項４４】
ここで、その検出に従ったその品質メトリックのその修正は、
あらかじめ設定された停止の数があらかじめ設定された間隔の期間中発生した場合は、現在の品質メトリックマージンを第１の量だけ増加し、
その品質メトリックをその増加された品質メトリックマージンだけ修正する
ことを含む、請求項４３記載の方法。
【請求項４５】
さらに、
あらかじめ設定された停止の数があらかじめ設定された間隔の期間中発生しなかった場合は、現在の品質メトリックマージンを第２の量だけ減少し、そして
その減少された品質メトリックマージンだけその品質メトリックを修正する
ことを含む、請求項４４記載の方法。
【請求項４６】
逆方向リンク最大データレートを推定するための装置であって、
データのソースにおいて、その上にデータが送信されるべきリンクに関する品質メトリックを決定するための手段と、
その品質メトリックを品質メトリックマージンだけ修正するための手段と、
その修正された品質メトリックに従ってデータの最大レートを決定するための手段と
を含む装置。
【請求項４７】
さらに、
その品質メトリックを予測器によって処理するための手段
を含む、請求項４６記載の装置。
【請求項４８】
ここで、その品質メトリックを予測器によって処理するためのその手段は、
その品質メトリックを線形濾波器によって濾波するための手段
を含む、請求項４７記載の装置。
【請求項４９】
ここで、その品質メトリックを予測器によって処理するためのその手段は、
その品質メトリックを非線形濾波器によって濾波するための手段
を含む、請求項４７記載の装置。
【請求項５０】
ここで、その品質メトリックを非線形濾波器によって濾波するためのその手段は、
その品質メトリックをピーク濾波器によって濾波するための手段
を含む、請求項４９記載の装置。
【請求項５１】
ここで、データのソースにおいて、その上にデータが送信されるべきリンクに関する品質メトリックを決定するためのその手段は、
データのソースにおいて、少なくとも１個の信号を受信するための手段と、そして
受信された少なくとも１個の信号に従ってその品質メトリックを決定するための手段とを含む、請求項４６記載の装置。
【請求項５２】
ここで、データのソースにおいて、その上にデータが送信されるべきリンクに関する品質メトリックを決定するためのその手段は、
データのソースにおいて、少なくとも１個の第１の参照信号を受信するための手段と、そして
受信された少なくとも１個の第１の参照信号および少なくとも１個の第１の参照信号に従ってその品質メトリックを決定するための手段と
を含む、請求項４６記載の装置。
【請求項５３】
ここで、データのソースにおいて、その上にデータが送信されるべきリンクに関する品質メトリックを決定するためのその手段は、
データのソースにおいて、帰還信号を受信するための手段と、そして
受信された帰還信号に従って品質メトリックを決定するための手段と
を含む、請求項４６記載の装置。
【請求項５４】
ここで、データのソースにおいて、その上にデータが送信されるべきリンクに関する品質メトリックを決定するためのその手段は、
データのソースにおいて、少なくとも１個の信号を受信するための手段と、
データのソースにおいて、帰還信号を受信するための手段と、そして
受信された少なくとも１個の信号および受信された帰還信号に従ってその品質メトリックを決定するための手段と
を含む、請求項４６記載の装置。
【請求項５５】
ここで、データのソースにおいて、その上にデータが送信されるべきリンクに関する品質メトリックを決定するためのその手段は、
データのソースにおいて、第１の参照信号を受信するための手段と、
データのソースにおいて、帰還信号を受信するための手段と、そして
第１の参照信号、受信された第１の参照信号、および受信された帰還信号に従って品質メトリックを決定するための手段と
を含む、請求項４６記載の装置。
【請求項５６】
ここで、品質メトリックを品質メトリックマージンだけ修正するためのその手段は、
あらかじめ設定された品質メトリックマージンだけ品質メトリックを修正するための手段
を含む、請求項４６記載の装置。
【請求項５７】
ここで、その品質メトリックを品質メトリックマージンだけ修正するためのその手段は、
第２の参照信号の伝送に対して必要とされる電力が、さきに修正された品質メトリックから決定された第２の参照信号の伝送に対して必要とされる電力を超える場合は停止事象を宣言するための手段と、
あらかじめ設定された間隔の期間中停止事象の発生を検出するための手段と、そして
その検出に従ってその品質メトリックを修正するための手段と
を含む、請求項４６記載の装置。
【請求項５８】
ここで、その検出に従ってその品質メトリックを修正するためのその手段は、
あらかじめ設定された停止事象の数があらかじめ設定された間隔の期間中発生した場合は、現在の品質メトリックマージンを第１の量だけ増加するための手段と、
その増加された品質メトリックマージンだけその品質メトリックを修正するための手段と
を含む、請求項５７記載の装置。
【請求項５９】
さらに、
あらかじめ設定された停止事象の数があらかじめ設定された間隔の期間中発生しなかった場合は、現在の品質メトリックマージンを第２の量だけ減少するための手段と、そして
その品質メトリックをその減少された品質メトリックマージンだけ修正するための手段と
を含む、請求項５８記載の装置。
【請求項６０】
ここで、その品質メトリックを品質メトリックマージンだけ修正するためのその手段は、
データの推定されたレートにおける、データの伝送に対して必要とされる電力が最大許容可能な伝送電力を超える場合は、停止事象を宣言するための手段と、
あらかじめ設定された間隔の期間中停止事象の発生を検出するための手段と、そして
その検出に従ってその品質メトリックを修正するための手段と、
を含む、請求項４６記載の装置。
【請求項６１】
ここで、その検出に従ってその品質メトリックを修正するためのその手段は、
あらかじめ設定された停止の数が、あらかじめ設定された間隔の期間中生じた場合は、現在の品質メトリックマージンを第１の量だけ増加するための手段と、そして
その品質メトリックをその増加された品質メトリックマージンだけ修正するための手段と
を含む、請求項６０記載の装置。
【請求項６２】
さらに、
あらかじめ設定された停止の数があらかじめ設定された間隔の期間中発生しなかった場合は、現在の品質メトリックマージンを第２の量だけ減少するための手段と、そして
その品質メトリックをその減少された品質メトリックマージンだけ修正するための手段と
を含む、請求項６１記載の装置。
【請求項６３】
ここで、あらかじめ設定された停止の数があらかじめ設定された間隔の期間中発生した場合に、現在の品質メトリックマージンを第１の量だけ増加させるためのその手段は、
推定されたデータのレートが、データの最大許容可能なレートに変化しているか否かを決定するための手段と、
品質メトリック下側限界を品質メトリックの現在の値にセットするための手段と、
あらかじめ設定された停止の数が、あらかじめ設定された間隔の期間中発生した場合は、品質メトリックを第１の値だけ増加するための手段と
を含む、請求項６１記載の装置。
【請求項６４】
さらに、
もしもその結果となる減少された電力マージンが電力マージンの下側限界よりもより大きい場合は、電力マージンを第２の値だけ減少するための手段と、そして
そうでない場合は、電力マージンを電力マージンの下側限界に等しくセットするための手段と
を含む、請求項６３記載の装置。
【請求項６５】
ここで、あらかじめ設定された停止の数が、あらかじめ設定された間隔の期間中発生しなかった場合に、現在の品質メトリックマージンを第２の量だけ減少するためのその手段は、
推定されたデータのレートがデータの最小許容可能なレートに変化しているか否かを決定するための手段と、
品質メトリック上側限界を品質メトリックの現在の値にセットするための手段と、そして
あらかじめ設定された停止の数が、あらかじめ設定された間隔の期間中発生した場合は品質メトリックを第２の値だけ減少するための手段と、
を含む、請求項６２記載の装置。
【請求項６６】
さらに、
もしもその結果となる増加された電力マージンが電力マージンの下側限界よりもより小さい場合は、電力マージンを第１の値だけ増加するための手段と、
そうでない場合は、電力マージンを電力マージンの下側限界に等しくセットするための手段と
を含む、請求項６５記載の装置。
【請求項６７】
ここで、あらかじめ設定された停止の数が、あらかじめ設定された間隔の期間中発生した場合に、現在の品質メトリックマージンを第１の量だけ増加するためのその手段は、
推定されたデータのレートがデータの最大許容可能なレートに等しいか否かを決定するための手段と、そして
あらかじめ設定された停止の数があらかじめ設定された間隔の期間中発生した場合は、品質メトリックを第１の値だけ増加するための手段と
を含む、請求項６１記載の装置。
【請求項６８】
さらに、
あらかじめ設定された停止の数が、あらかじめ設定された間隔の期間中発生しなかった場合は、電力マージンを変化させずに残すための手段を含む、請求項６７記載の装置。
【請求項６９】
ここで、あらかじめ設定された停止の数が、あらかじめ設定された間隔の期間中発生しなかった場合に、現在の品質メトリックマージンを第２の量だけ減少するためのその手段は、
データの推定されたレートが、データの最小の許容可能なレートに等しいか否かを決定するための手段と、
あらかじめ設定された停止の数があらかじめ設定された間隔の期間中発生しなかった場合、品質メトリックを第２の値だけ減少するための手段とを含む、請求項６１記載の方法。
【請求項７０】
さらに、
あらかじめ設定された停止の数があらかじめ設定された間隔の期間中発生した場合は、電力マージンを変化させないで残すための手段を含む、請求項６９記載の装置。
【請求項７１】
ここで、修正された品質メトリックに従ってデータの最大レートを決定するためのその手段は、
修正された品質メトリックに従って伝送電力を決定するための手段と、そして
それのその決定された伝送電力が最大の許容可能な伝送電力を超えないデータレートを選択するための手段と
を含む、請求項４６記載の装置。
【請求項７２】
停止を検出するための装置であって、
データのソースにおいて、その上にデータが送信されるべきリンクに関する品質メトリックを決定するための手段と、
その品質メトリックを品質メトリックマージンだけ修正するための手段と、そして
参照信号の伝送に対して必要とされる電力が、修正された品質メトリックから決定された参照信号の伝送に対して必要とされる電力を超える場合は、停止事象を宣言するための手段と
を含む装置。
【請求項７３】
停止を検出するための装置であって、
データのソースにおいて、その上にデータが送信されるべきリンクに関する品質メトリックを決定するための手段と、
その品質メトリックを品質メトリックマージンだけ修正するための手段と、
その修正された品質メトリックに従ってデータの最大レートを決定するための手段と、
もしもデータの最大レートにおいてデータの伝送に対して必要とされる電力が最大許容可能な伝送電力を超える場合は、停止事象を宣言するための手段と
を含む装置。
【請求項７４】
データの伝送に対して必要とされる電力を推定するための装置であって、
データのソースにおいて、その上にデータが送信されるべきリンクに関する品質メトリックを決定するための手段と、
その品質メトリックを品質メトリックマージンだけ修正するための手段と、そして
その修正された品質メトリックおよびデータのレートに従ってデータの伝送に対して必要とされる電力を決定するための手段と
を含む装置。
【請求項７５】
さらに、
その品質メトリックを予測器によって処理するための手段
を含む、請求項７４記載の装置。
【請求項７６】
ここで、予測器によってその品質メトリックを処理するためのその手段は、
その品質メトリックを線形濾波器によって濾波するための手段
を含む、請求項７５記載の装置。
【請求項７７】
ここで、予測器によってその品質メトリックを処理するためのその手段は、
その品質メトリックを非線形濾波器によって濾波するための手段
を含む、請求項７５記載の装置。
【請求項７８】
ここで、その品質メトリックを非線形濾波器によって濾波するためのその手段は、
その品質メトリックをピーク濾波器によって濾波するための手段
を含む、請求項７７記載の装置。
【請求項７９】
ここで、データのソースにおいて、その上にデータが送信されるべきリンクに関する品質メトリックを決定するためのその手段は、
データのソースにおいて、少なくとも１個の信号を受信するための手段と、そして
受信された少なくとも１個の信号に従ってその品質メトリックを決定するための手段と
を含む、請求項７４記載の装置。
【請求項８０】
ここで、データのソースにおいて、その上にデータが送信されるべきリンクに関する品質メトリックを決定するためのその手段は、
データのソースにおいて、少なくとも１個の第１の参照信号を受信するための手段と、そして
受信された少なくとも１個の第１の参照信号および少なくとも１個の第１の参照信号に従ってその品質メトリックを決定するための手段と
を含む、請求項７４記載の装置。
【請求項８１】
ここで、データのソースにおいて、その上にデータが送信されるべきリンクに関する品質メトリックを決定するためのその手段は、
データのソースにおいて、帰還信号を受信するための手段と、そして
受信された帰還信号に従って品質メトリックを決定するための手段と
を含む、請求項７４記載の装置。
【請求項８２】
ここで、データのソースにおいて、その上にデータが送信されるべきリンクに関する品質メトリックを決定するためのその手段は、
データのソースにおいて、少なくとも１個の信号を受信するための手段と、
データのソースにおいて、帰還信号を受信するための手段と、そして
受信された少なくとも１個の信号および受信された帰還信号に従ってその品質メトリックを決定するための手段と
を含む、請求項７４記載の装置。
【請求項８３】
ここで、データのソースにおいて、その上にデータが送信されるべきリンクに関する品質メトリックを決定するためのその手段は、
データのソースにおいて、第１の参照信号を受信するための手段と、
データのソースにおいて、帰還信号を受信するための手段と、そして
第１の参照信号、受信された第１の参照信号、および受信された帰還信号に従って品質メトリックを決定するための手段と
を含む、請求項７４記載の装置。
【請求項８４】
ここで、品質メトリックを品質メトリックマージンだけ修正するためのその手段は、
あらかじめ設定された品質メトリックマージンだけ品質メトリックを修正するための手段を含む、請求項７４記載の装置。
【請求項８５】
ここで、その品質メトリックを品質メトリックマージンだけ修正するためのその手段は、
第２の参照信号の伝送に対して必要とされる電力が、さきに修正された品質メトリックから決定された第２の参照信号の伝送に対して必要とされる電力を超える場合は、停止事象を宣言するための手段と
あらかじめ設定された間隔の期間中停止事象の発生を検出するための手段と、そして
その検出に従ってその品質メトリックを修正するための手段と
を含む、請求項７４記載の装置。
【請求項８６】
ここで、その検出に従ってその品質メトリックを修正するためのその手段は、
あらかじめ設定された停止事象の数があらかじめ設定された間隔の期間中に発生した場合は、現在の品質メトリックマージンを第１の量だけ増加するための手段と、
その品質メトリックをその増加された品質メトリックマージンだけ修正するための手段と
を含む、請求項８５記載の装置。
【請求項８７】
さらに、
あらかじめ設定された停止事象の数が、あらかじめ設定された間隔の期間中に発生しなかった場合は、現在の品質メトリックマージンを第２の量だけ減少するための手段と、そして
その品質メトリックをその減少された品質メトリックマージンだけ修正するための手段と
を含む、請求項８６記載の装置。
【請求項８８】
ここで、その品質メトリックを品質メトリックマージンだけ修正するためのその手段は、
データの推定されたレートにおける、データの伝送に対して必要とされる電力が、最大の許容可能な伝送電力を超える場合は、停止事象を宣言するための手段と、
あらかじめ設定された間隔の期間中停止事象の発生を検出するための手段と、
その検出に従ってその品質メトリックを修正するための手段と
を含む、請求項７４記載の装置。
【請求項８９】
ここで、その検出に従ってその品質メトリックを修正するためのその手段は、
あらかじめ設定された停止の数が、あらかじめ設定された間隔の期間中発生した場合は、現在の品質メトリックマージンを第１の量だけ増加するための手段と、
その品質メトリックをその増加された品質メトリックマージンだけ修正するための手段と
を含む、請求項８８記載の装置。
【請求項９０】
さらに、
あらかじめ設定された停止の数が、あらかじめ設定された間隔の期間中発生しなかった場合は、現在の品質メトリックマージンを第２の量だけ減少するための手段と、そして
その品質メトリックをその減少された品質メトリックマージンだけ修正するための手段と
を含む、請求項８９記載の装置。
【請求項９１】
逆方向リンク最大データレートを推定するための装置であって、
データのソースにおいて、その上にデータが送信されるべきリンクに関する品質メトリックを決定するように形成された推定器と、
品質メトリックを品質メトリックマージンだけ修正するように形成された、その推定器と通信的に結合された結合器と、そして
修正された品質メトリックに従ってデータの最大レートを決定するように形成されたその結合器と通信的に結合された処理ブロックと
を含む装置。
【請求項９２】
ここで、その推定器は予測器を含む、請求項９１記載の装置。
【請求項９３】
ここで、その予測器は線形濾波器を含む、請求項９２記載の装置。
【請求項９４】
ここで、その予測器は非線形濾波器を含む、請求項９２記載の装置。
【請求項９５】
ここで、その非線形濾波器はピーク濾波器を含む、請求項９４記載の装置。
【請求項９６】
ここで、その推定器は開ループ推定器を含む、請求項９１記載の装置。
【請求項９７】
ここで、その推定器は閉ループ推定器を含む、請求項９１記載の装置。
【請求項９８】
ここで、その推定器は、
開ループ推定器と、
閉ループ推定器と、そして
その開ループ推定器と通信的に結合された結合器および開ループ推定器と
を含む、請求項９１記載の装置。
【請求項９９】
さらに、その結合器と通信的に結合された停止事象検出器を含む、請求項９１記載の装置。
【請求項１００】
データの伝送に対して必要とされる電力を推定するための装置であって、
データのソースにおいて、その上にデータが送信されるべきリンクに関する品質メトリックを決定するよう形成された推定器と、
品質メトリックを品質メトリックマージンだけ修正するよう形成されたその推定器と通信的に結合された結合器と、そして
その修正された品質メトリックおよびデータのレートに従ってデータの伝送に対して必要とされる電力を決定するよう形成されたその結合器と通信的に結合された処理ブロックと
を含む装置。
【請求項１０１】
ここで、その推定器は予測器を含む、請求項１００記載の装置。
【請求項１０２】
ここで、その予測器は線形濾波器を含む、請求項１０１記載の装置。
【請求項１０３】
ここで、その予測器は非線形濾波器を含む、請求項１０１記載の装置。
【請求項１０４】
ここで、その 非線形濾波器はピーク濾波器を含む、請求項１０３記載の装置。
【請求項１０５】
ここで、その推定器は開ループ推定器を含む、請求項１００記載の装置。
【請求項１０６】
ここで、その推定器は閉ループ推定器を含む、請求項１００記載の装置。
【請求項１０７】
ここで、その推定器は
開ループ推定器と、
閉ループ推定器と、そして
その開ループ推定器と通信的に結合された結合器および開ループ推定器と
を含む、請求項１００記載の装置。
【請求項１０８】
さらに、その結合器と通信的に結合された停止事象検出器を含む、請求項１００記載の装置。
【発明の詳細な説明】
【技術分野】
【０００１】
本発明は、一般的に通信システムに、そしてより特定的には、通信システムにおいて逆方向リンク最大データレートを推定するための、そしてあるデータのレートにおいてデータの伝送に必要とされる電力を推定するための方法および装置に関する。
【背景技術】
【０００２】
通信システムは、発信局から物理的に異なる宛先局までの情報信号の伝送を可能とするために開発されてきている。発信局からの情報信号を通信チャネル上に送信するに際しては、情報信号は第１に通信チャネル上への効率的な伝送に適した形態に変換される。情報信号の変換、すなわち変調は、結果となる変調された搬送波のスペクトルが通信チャネル帯域幅の中に閉じ込められるような方法で、情報信号に従って搬送波のパラメータを変化させることを必要とする。宛先局においては、通信チャネル上で受信された変調された搬送波からもとの情報信号が再構成される。一般的にこのような再構成は、発信局において用いられた変調過程の逆を用いることによって達成される。
【０００３】
変調はまた、多元接続、たとえば共通の通信チャネル上でいくつかの信号に関する同時の伝送および／あるいは受信を容易にする。多元接続通信システムは、しばしば、共通の通信チャネルに対する継続した接続というよりはむしろ、比較的短期間の間欠的サービスを要求する、複数の遠隔加入者ユニットを含む。当業界においては、時間分割多元接続（ＴＤＭＡ：time division multiple-access）および周波数分割多元接続（ＦＤＭＡ：frequency division multiple-access）等のいくつかの多元接続技術が知られている。多元接続技術の他の形式は、今後ＩＳ‐９５として参照される、“デュアルモード広帯域スペクトル拡散セルラシステムのためのＴＩＡ／ＥＩＡ／ＩＳ‐９５移動局‐基地局両立性標準”に適合する符号分割多元接続（ＣＤＭＡ：code division multiple-access）スペクトル拡散システムである。多元接続通信システムにおけるＣＤＭＡ技術の使用は、“衛星あるいは地上中継器を用いるスペクトル拡散多元接続通信システム”と題された米国特許４，９０１，３０７、および“ＣＤＭＡセルラ電話システムにおける波形を発生するためのシステムおよび方法”と題された、ともに本発明の譲受人に譲渡された、米国特許５，１０３，４５９の中に開示されている。
【０００４】
多元接続通信システムは、無線あるいは有線であることが可能であり、そして音声および／あるいはデータを搬送することが可能である。音声およびデータの両方を搬送する通信システムの例は、通信チャネル上に音声およびデータを送信することを定義するＩＳ‐９５標準に従ったシステムである。固定されたサイズの符号チャネルフレーム内でデータを送信するための方法は、“伝送のためにデータをフォーマットするための方法および装置”と題された、本発明の譲受人に譲渡された米国特許５，５０４，７７３の中に詳細に記述されている。 ＩＳ‐９５標準に従って、データあるいは音声は１４．４ｋｂｐｓと高いデータレートの２０ミリ秒の幅の符号チャネルフレーム内に分割される。音声およびデータの両方を搬送する通信システムの他の例は、文書番号３Ｇ  ＴＳ  ２５．２１１、３Ｇ  ＴＳ  ２５．２１２、３Ｇ  ＴＳ  ２５．２１３、および３Ｇ  ＴＳ  ２５．２１４  を含む１組の文書（Ｗ‐ＣＤＭＡ標準）、あるいは“ｃｄｍａ２０００スペクトル拡散システムのための、ＴＲ‐４５．５物理レイヤ標準”（ＩＳ‐２０００標準）の中に具体化された“第３世代パートナーシッププロジェクト”（３ＧＰＰ：3rd Generation Partnership Project）に適合する通信システムを含む。
【０００５】
多元接続通信システムにおいては、ユーザ間の通信は、１個あるいはそれ以上の基地局を経て行われる。１個の加入者局上の第１のユーザは、基地局への逆方向リンク上にデータを送信することによって第２の加入者局上の第２のユーザと通信する。基地局はデータを受信し、そしてデータを他の基地局に発送することが可能である。データは同じ基地局、あるいは第２の加入者局に至る他の基地局の順方向リンク上に送信される。順方向リンクは基地局から加入者局への伝送に関連し、そして逆方向リンクは加入者局から基地局への伝送に関連する。同様に、通信は１個の移動加入者局上の第１のユーザおよび陸線(landline)局上の第２のユーザ間で行われることが可能である。基地局は逆方向リンク上のユーザからデータを受信し、そしてデータを公衆交換電話ネットワーク（ＰＳＴＮ：public switched telephone network）を経由して第２のユーザに発送する。多くの通信システム、たとえばＩＳ‐９５、 Ｗ‐ＣＤＭＡ、ＩＳ‐２０００においては、順方向リンクおよび逆方向リンクは別々の周波数を割り当てられる。
【０００６】
データのみの通信システムの例は、ＴＩＡ／ＥＩＡ／ＩＳ‐８５６工業標準に適合する、今後ＩＳ‐８５６として参照される高データレート（ＨＤＲ：high data rate）通信システムである。このＨＤＲシステムは、共に出願中の出願シリアル番号０８／９６３，３８６に開示された、“高レートパケットデータ伝送のための方法および装置”と題された、１９９７年１１月３日に出願された、本発明の譲受人に譲渡された通信システムに基づいている。このＨＤＲ通信システムは、３８．４ｋｂｐｓから２．４Ｍｂｐｓに亙る、アクセスポイント（ＡＰ：access point）が加入者局（アクセス端末、ＡＴ：access terminal）に、この値でデータを送出することが可能な一組のデータレートを定義する。ＡＰは基地局に類似しているために、セルおよびセクタに関する術語は音声システムに関すると同様である。
【０００７】
無線通信システムにおいては、取り扱われることが可能な同時の電話呼の数に換算しての、通信システムの容量を最大化することがきわめて重要である。スペクトル拡散通信システムにおける容量は、各加入者局の伝送電力が、各送信された信号が基地局受信機に同じ信号レベルで到着するように制御される場合に最大とすることが可能である。しかしながら、もしも加入者局によって送信された信号が基地局受信機に、非常に低い電力レベルで到着する場合は、他の加入者局からの干渉のために良質の通信は達成不可能である。一方、もしも加入者局が送信した信号が、基地局において受信されるときに余りにも高い電力レベルである場合は、この特定の加入者局との通信は容認できるものであるが、しかしこの高い電力信号は他の加入者局に対して干渉として作用する。この干渉は他の加入者局との通信に逆に影響するかも知れない。その結果各加入者局は、たとえば送信されたデータの回復が可能な信号対雑音比として表現される最小の信号レベルで送信する必要がある。
【０００８】
したがって、基地局の有効範囲内にある各加入者局の伝送電力は、基地局において同じ公称受信信号電力あるいは信号対雑音比を生成するように基地局によって制御される。理想的な場合、基地局において受信される全信号電力は、基地局の有効範囲内の送信中の加入者局の数によって乗算された各加入者局から受信された公称電力プラス、隣接する基地局の有効範囲内の加入者局から基地局において受信された電力に等しい。
【０００９】
無線チャネル内の経路損失は、二つの別々の現象、平均経路損失およびフェージングによって特徴づけることが可能である。基地局から加入者局への順方向リンクは、加入者局から基地局への逆方向リンクとは異なった周波数で動作する。しかしながら順方向リンクおよび逆方向リンク周波数は同一の一般的な周波数帯域内にあるために、二つのリンクに関する平均経路損失の間には有意な(significant)相関が存在する。一方フェージングは、順方向リンクおよび逆方向リンクに対して独立した現象であり、そして時間の関数として変化する。
【００１０】
典型的なＣＤＭＡシステムにおいては、各加入者局は加入者局への入力における全電力に基づいて順方向リンクに関する経路損失を推定する。全電力は、加入者局によって感知されたような、同一の周波数割り当て上で動作しているすべての基地局からの電力の合計である。平均順方向リンク経路損失の推定から、加入者局は逆方向リンク信号の送信レベルをセットする。開ループ制御のこの形式は、順方向リンクおよび逆方向リンク間に相関が存在する場合に有利である。１個の加入者局に対する逆方向リンクチャネルが、二つのチャネルの独立したフェージングに起因して、同じ加入者局に対する順方向リンクチャネルに比して突然に改善されたと仮定すると、この加入者局からの基地局において受信された信号は電力が増加するであろう。この電力の増加は、同じ周波数割り当てを共有するすべての信号に対する付加的な干渉の原因となる。したがって、チャネル内の突然の改善に対する加入者局送信電力に関する速い応答はシステム特性を改善するであろう。その結果、加入者局の電力制御機構に対して絶えず寄与する基地局を有することが必要である。このような電力制御機構は、閉ループとしてもまた参照される帰還を頼りにしている。
【００１１】
加入者局と通信中の各基地局は、加入者局からの受信された信号強度を測定する。測定された信号強度は、その特定の加入者局に対する望ましい信号強度レベルと比較される。電力調整命令が各基地局により発生され、そして順方向リンク上の加入者局に送出される。基地局電力調整命令に応じて加入者局は、あらかじめ設定された量だけ加入者局送信電力を増加あるいは減少する。この方法によって、チャネル内の変化に対する速い応答が遂行されそして平均システム特性が改善される。典型的なセルラシステムにおいては基地局は緊密に接続されておらず、そしてシステム内の各基地局は、他の基地局が加入者局の信号を受信する電力レベルに関しては知らないことに注意すべきである。
【００１２】
加入者局が１個以上の基地局と通信している場合、電力調整命令は各基地局から与えられる。加入者局はこれらの複数の基地局電力調整命令に対して、他の加入者局通信と逆に干渉することが可能な電力レベルで送信することを避け、そしてしかも加入者局から少なくとも基地局の一つに対して通信をサポートするに十分な電力を与えるように動作する。この電力制御機構は、もしも加入者局が通信しているそれぞれの基地局が電力レベルの増加を要求する場合にのみ、その送信信号レベルを増加する加入者局を有することによって達成される。加入者局はもしもその加入者局と通信している何れかの基地局が、電力は減少されるべきであると要求する場合はその送信信号レベルを減少する。基地局および加入者局電力制御のためのシステムは、“ＣＤＭＡセルラ移動電話システムにおける伝送電力を制御するための方法および装置”と題された、１９９１年１０月８日に発行された、本発明の譲受人に譲渡された米国特許５，０５６，１０９の中に開示されている。
【００１３】
伝送電力および送信されるべきデータのレートの間には関係が存在する。一般的に、通信システムはデータのレートに関する瞬間的変化を認めない。もしもデータのレートが変更不可能である間隔の期間中に、伝送電力およびデータレートを変更する要求の結果として伝送チャネルリンク条件が変化する場合は、送信されたデータは消去されるかも知れない。その結果当業界においては、すべてのチャネル条件のもとにおいて消去なしに送信されることが可能なデータのレートを推定するための、あるいは代わりにデータのあるレートにおけるデータの伝送に対して必要とされる電力を推定するためのニーズが存在する。
【発明の開示】
【課題を解決するための手段】
【００１４】
本発明の一つの観点においては上に言明したニーズは、データのソースにおいて、その上にデータが送信されるべきリンクの品質メトリックを決定し、そしてその品質メトリックを品質メトリックマージンだけ修正することによって対応される。データの最大のレートはそこで、その修正された品質メトリックに従って決定される。あるいは、あるデータのレートにおけるデータの伝送に対して必要とされる電力は、その修正された品質メトリックおよびデータのレートに従って決定される。
【００１５】
本発明の他の観点においては、品質メトリックはあらかじめ設定された品質メトリックマージンだけ修正される。あるいは、その品質メトリックを品質メトリックマージンだけ修正することは、第２の参照信号の伝送に対して必要とされる電力が、さきに修正された品質メトリックから決定された第２の参照信号の伝送に対して必要とされる電力を超える場合は停止事象(outage event)を宣言し、あらかじめ設定された間隔の期間中停止事象の発生を検出し、そしてその検出に従ってその品質メトリックを修正することによって達成される。
【００１６】
本発明の他の観点においては、停止はデータのソースにおいて、その上にデータが送信されるべきリンクに関する品質メトリックを決定し、その品質メトリックを品質メトリックマージンだけ修正し、そして参照信号の伝送に対して必要とされる電力が、修正された品質メトリックから決定された参照信号の伝送に対して必要とされる電力を超える場合は、停止事象を宣言することによって検出される。あるいは停止は、データのソースにおいて、その上にデータが送信されるべきリンクに関する品質メトリックを決定し、その品質メトリックを品質メトリックマージンだけ修正し、その修正された品質メトリックに従ってデータの最高のレートを決定し、そしてデータの最高のレートにおけるデータの伝送に対して必要とされる電力が最大の許容可能な伝送電力を超える場合は、停止事象を宣言することによって検出される。
【発明を実施するための最良の形態】
【００１７】
定義
用語“典型的な”は、この中では、“例、事実、あるいは説明として有効である”の意味に限定して使用される。“典型的に”としてこの中に記述されたいずれの実施例も、他の実施例に優れて選定された、あるいは有利なものであるとして解釈される必要はない。
【００１８】
用語、アクセスネットワークは、アクセスポイント（ＡＰ：access points）の集合、および１個あるいはそれ以上のアクセスポイント制御器を意味するために限定して使用される。アクセスネットワークは複数のアクセス端末（ＡＴ：access terminal）間でデータパケットを輸送する。アクセスネットワークはさらに、団体のイントラネット(a corporate intranet)あるいはインターネット等のアクセスネットワークの外部にある付加的なネットワークに接続することが可能であり、そして各アクセス端末およびこのような外部のネットワーク間をデータパケットを輸送することが可能である。
【００１９】
この中では、ＨＤＲ通信システムに関してはＡＰとして参照される用語、基地局は、この中ではこれと加入者局が通信するハードウエアを意味するために限定的に使用される。セルは、この用語が使用される環境によって、ハードウエアあるいは地理的なカバー領域を示す。セクタはセルの一区画である。セクタはセルの属性を有するために、セルに対して記述される教えは容易にセクタに拡張される。
【００２０】
この中では、ＨＤＲ通信システムに関してはＡＴとして参照される用語、加入者局は、この中ではこれとアクセスネットワークが通信するハードウエアを意味するために限定的に使用される。ＡＴは移動であるかあるいは固定であることが可能である。ＡＴは、無線チャネルを経由してあるいは有線チャネルを経由して、たとえば光ファイバあるいは同軸ケーブルを用いて通信する任意のデータデバイスであることが可能である。ＡＴはさらに、ＰＣカード、コンパクトフラッシュ（登録商標）、外部あるいは内部のモデム、あるいは無線あるいは有線電話を含むしかし限定はされないデバイスの、いくつかの任意の形式であるかも知れない。ＡＰとアクティブなトラフィックチャネル接続を確立する過程にあるＡＴは、接続セットアップ状態にあるといわれる。ＡＰとアクティブトラフィックチャネル接続を確立しているＡＴは、アクティブなＡＴといわれ、そしてトラフィック状態にあるといわれる。
【００２１】
用語、通信チャネル／リンクはこの中では、その上に信号が送信される、変調特性およびコーディングに関して記述される単一の経路、あるいはＡＰあるいはＡＴいずれかのプロトコルレイヤ内の単一の経路を意味するために限定的に使用される。
用語、逆方向チャネル／リンクはこの中では、これを経由してＡＴが信号をＡＰに送出する通信チャネル／リンクを意味するために限定的に使用される。
【００２２】
順方向チャネル／リンクはこの中では、これを経由してＡＰが信号をＡＴに送出する通信チャネル／リンクを意味するために限定的に使用される。
用語、ソフトハンドオフはこの中では、加入者局および二つあるいはそれ以上のセクタ間の通信を意味するために限定的に使用される。ここで各セクタは異なったセルに属している。ＩＳ‐９５標準の環境においては、逆方向リンク通信は両方のセクタによって受信され、そして順方向リンク通信は、二つあるいはそれ以上のセクタの順方向リンク上に同時に搬送される。ＩＳ‐８５６標準の環境においては、順方向リンク上のデータ伝送は、二つあるいはそれ以上のセクタの一つ、およびＡＴ間を同時にではなく搬送される。
【００２３】
用語、消失はこの中では、メッセージの認知に失敗したことを意味するために限定的に使用される。
用語、停止はこの中では、その期間中加入者局がサービスを受けるであろう可能性が減少している時間の間隔を意味するために限定的に使用される。
記述
【００２４】
図１は、本発明の実施例に従ってデータの最大レート推定を実行することが可能な通信システムに関する概念的な線図を示す。データの最大レート推定に関する種々の観点が、ＣＤＭＡ通信システム、とくにＩＳ‐８５６標準に従った通信システムの環境において記述されるであろう。しかしながら当業界において普通に熟練した人々は、データの最大レート推定に関する観点は、同様に種々の他の通信環境における使用に対しても適切であることを正しく評価するであろう。したがってＣＤＭＡ通信システムに対する任意の参照は、このような独創的な観点は広範囲の応用を有するとの理解のもとに、本発明の独創的な観点を示すことのみを意図したものである。
【００２５】
上述の通信システムにおいては、ＡＰ１００は順方向リンク１０６（１）上でＡＴ１０４にデータを送信し、そして逆方向リンク１０８（１）上でＡＴ１０４からデータを受信する。同様にＡＰ１０２は、順方向リンク１０６（２）上でＡＴ１０４にデータを送信し、そして逆方向リンク１０８（２）上でＡＴ１０４からデータを受信する。一つの実施例に従って、順方向リンク上のデータ伝送は、一つのＡＰから一つのＡＴに対して順方向リンクおよび通信システムによってサポートされることが可能な最大データレート、あるいはその近くにおいて発生する。順方向リンクの他のチャネルたとえば制御チャネルは、複数のＡＰから１個のＡＴに対して送信することが可能である。逆方向リンクデータ通信は、１個のＡＴから１個あるいはそれ以上のＡＰに対して発生することが可能である。ＡＰ１００およびＡＰ１０２は、バックハウル１１２（１）および１１２（２）上を制御器１１０に接続される。用語、バックハウルは、制御器および１個のＡＰ間の通信リンクを意味するために使用される。図１には二つのＡＴおよび一つのＡＰのみが示されているが、当業界において普通に熟練した人は、これは教育上の目的に対してでありそして通信システムは複数のＡＴおよびＡＰを含むことが可能であることを認める。
【００２６】
最初に、ＡＴ１０４およびＡＰの内の一つたとえばＡＰ１００は、あらかじめ設定されたアクセス手順を用いて通信リンクを確立する。この接続された状態においては、ＡＴ１０４はＡＰ１００からデータおよび制御メッセージを受信することが可能であり、そしてＡＰ１００に対してデータおよび制御メッセージを送信することが可能である。ＡＴ１０４は続けてＡＴ１０４アクティブセットに加えられるべき他のＡＰを探索する。このアクティブセットは、ＡＴ１０４と通信することが可能なＡＰのリストを含む。このようなＡＰが見出される場合、ＡＴ１０４はＡＰの順方向リンクに対する品質メトリックを計算する。そしてそれ（品質メトリック）は一つの実施例においては、信号対干渉および雑音比（ＳＩＮＲ：a signal-to-interference and-noise ratio）を含む。一つの実施例においては、ＡＴ１０４は他のＡＰを探索し、そしてパイロット信号に従ってそのＡＰのＳＩＮＲを決定する。同時に、ＡＴ１０４はＡＴ１０４アクティブセットの中の各ＡＰに対する順方向リンク品質メトリックを計算する。もしも特定のＡＰからの順方向リンク品質メトリックが、あらかじめ設定された時間的期間に対する、あらかじめ設定された追加(add)しきい値の上、あるいはあらかじめ設定された削除(drop)しきい値の下にある場合は、ＡＴ１０４はこの情報をＡＰ１００に報告する。ＡＰ１００からの続くメッセージは、ＡＴ１０４にこの特定のＡＰをＡＴ１０４アクティブセットに加え、あるいは（これから）削除することを指令する。
【００２７】
ＡＴ１０４は、パラメータの１組に基づいてアクティブセットからサービングＡＰを選択する。用語、サービングＡＰは、データ通信に対して選択された特定のＡＴあるいは特定のＡＴとデータを通信しているＡＰをいう。パラメータのセットは、現在のそして以前のＳＩＮＲ測定値、ビット誤り率および／あるいはパケット誤り率、そして当業界において熟練した人には知られている他のパラメータを含むことが可能である。一つの実施例においては、サービングＡＰは最大のＳＩＮＲ測定に従って選択される。ＡＴ１０４はそこで、この選択されたＡＰをデータ要求チャネル（ＤＲＣチャネル：data request channel）上に送信されるデータ要求メッセージ（ＤＲＣメッセージ：data request message）内に記入する。ＤＲＣメッセージは、要求されたデータレート、あるいは代わりに、順方向リンクの品質の表示、たとえば測定されたＳＩＮＲ、ビット誤り率、あるいはパケット誤り率を含むことが可能である。一つの実施例においてはＡＴ１０４は、特定のＡＰを独自に識別するウォルシュ符号(Walsh code)の使用によって、ＤＲＣメッセージの特定のＡＰに対する伝送を指令することが可能である。ＤＲＣメッセージシンボルは、独自のウォルシュ符号でテンソル乗算され（整形され）る。テンソル乗算（整形）操作は信号のウォルシュカバリングとして参照される。ＡＴ１０４のアクティブセット内の各ＡＰは独自のウォルシュ符号によって識別されるので、ＤＲＣ信号が正しいウォルシュ符号と相関する選択されたＡＰのみが、ＤＲＣメッセージを正しく復号することが可能である。
【００２８】
ＡＴ１０４に対して送信されるべきデータは制御器１１０に到着する。一つの実施例に従って、制御器１１０はバックハウル１１２上をＡＴ１０４アクティブセット内のすべてのＡＰにデータを送出する。他の実施例においては、制御器１１０はどのＡＰがＡＴ１０４によってサービングＡＰとして選択されたかを最初に決定し、そしてそこでデータをサービングＡＰに送出する。データは順に列を作ってＡＰに保存される。ページングメッセージはそこで、１個あるいはそれ以上のＡＰによってそれぞれの制御チャネル上のＡＴ１０４に送出される。ＡＴ１０４はページングメッセージを得るために、１個あるいはそれ以上の制御チャネル上の信号を復調しそして復号する。
【００２９】
各時刻タイムスロットにおいてＡＰは、ページングメッセージを受信したＡＴの何れに対してもデータ伝送を計画することが可能である。伝送を計画するための典型的な方法は、“通信システムにおいて資源を割り当てるためのシステム”と題された、本発明の譲受人に譲渡された、米国特許６，２２９，７９５の中に記述されている。ＡＰは各ＡＴから受信されたＤＲＣメッセージ内のレート制御情報を、順方向リンクデータを最高の可能なレートで効率的に送信するために使用する。一つの実施例においては、ＡＰはＡＴ１０４から受信したＤＲＣメッセージの最近の値に基づいて，ＡＴ１０４に対するデータを送信するデータレートを決定する。さらにＡＰは、その移動局に対して独自の拡散符号を使用することによって、ＡＴ１０４に対する伝送を独自に識別する。典型的な実施例においては、この拡散符号は、ＩＳ‐８５６標準によって定義される長い擬似雑音（ＰＮ：pseudo noise）符号である。
【００３０】
これに対してはデータパケットが予定されるＡＴ１０４は、データ伝送を受信しそしてデータパケットを復号する。一つの実施例においては、各データパケットは識別子、たとえば見落とされたあるいは複写された伝送の何れかを検出するために、ＡＴ１０４によって使用されるシーケンス番号と組み合わせられている。このような場合においては、ＡＴ１０４は、逆方向リンクデータチャネルを経由して見落とされたデータユニットのシーケンス番号と通信する。ＡＴ１０４からのデータメッセージを、ＡＴ１０４と通信しているＡＰを経て受信する制御器１１０はそこで、ＡＰに対してどのデータユニットがＡＴ１０４によって受信されなかったかを示す。ＡＰはそこでこのデータユニットの再伝送を計画する。
【００３１】
当業界において熟練した人は、一つのＡＰが１個あるいはそれ以上のセクタを含みうることを認めるであろう。以上の記述内において、用語ＡＰは、ＨＤＲ通信システムの基本的コンセプトに関する明快な説明を可能とするために一般的に使用された。しかしながら当業界において熟練した人は、説明された概念を任意の数のセクタを含むＡＰに拡張することが可能である。したがってセクタに関する概念は、本書類の残りを通じて使用されるであろう。
【００３２】
順方向リンク構造
図２は、典型的な順方向リンク波形２００を示す。教育的理由から、波形２００は上述したＨＤＲシステムに関する順方向リンク波形の後にモデル化される。しかしながら当業界において普通に熟練した人は、教えが異なった波形に対しても適用可能であることを理解するであろう。したがってたとえば一つの実施例においては波形はパイロット信号バーストを含む必要はなく、そしてパイロット信号は、連続的あるいはバースト的であることが可能な別々のチャネル上に送信されることが可能である。順方向リンク２００はフレームによって定義される。フレームは、１６個のタイムスロット２０２を含む構造であり、各タイムスロット２０２は、１．６６ミリ秒のタイムスロット期間に対応する２０４８チップの長さであり、そしてしたがって２６．６６ミリ秒のフレーム期間である。各タイムスロット２０２は、各ハーフタイムスロット２０２ａ、２０２ｂの中に送信されたパイロットバースト２０４ａ、２０４ｂをもつ２個のハーフタイムスロット２０２ａ、２０２ｂに分割される。典型的な実施例においては、各パイロットバースト２０４ａ、２０４ｂは９６チップの長さであり、そしてその組み合わせられたハーフタイムスロット２０２ａ、２０２ｂの中間点に集中される。パイロットバースト２０４ａ、２０４ｂは、インデックス０のウォルシュカバーによってカバーされたパイロットチャネル信号を含む。順方向媒体アクセス制御チャネル（ＭＡＣ：medium access control channel）２０６は、各ハーフタイムスロット２０２のパイロットバースト２０４の直前および直後に送信される２個のバーストを形成する。典型的な実施例においては、ＭＡＣは６４値の(64-ary)ウォルシュ符号によって直交的にカバーされる６４個までの符号チャネルから構成される。各符号チャネルは、１および６４の間の値を有するＭＡＣインデックスによって識別され、そして独自の６４値のウォルシュカバーを識別する。逆方向電力制御チャネル（ＲＰＣ：a reverse power control channel）は、各加入者局に対する逆方向リンク信号の電力を調整するために使用される。ＲＰＣ命令は、基地局において測定された逆方向リンク伝送電力を、電力制御セットポイントと比較することによって発生される。もしも測定された逆方向リンク伝送電力がセットポイントの下にある場合は、そこで、ＲＰＣ増加命令が、逆方向リンク伝送電力を増加するために加入者局に与えられる。もしも測定された逆方向リンク伝送電力がセットポイントの上にある場合は、そこで、ＲＰＣ低減命令が、逆方向リンク伝送電力を減少させるために加入者局に与えられる。ＲＰＣは５および６３の間のＭＡＣインデックスを有する利用可能なＭＡＣの一つに割り当てられる。ＭＡＣインデックス４のＭＡＣは、逆方向トラフィックチャネル上のフロー制御を実行する逆方向アクティビティチャネル（ＲＡ：a reverse activity channel）に対して使用される。順方向リンクトラフィックチャネルおよび制御チャネルペイロードは、第１のハーフタイムスロット２０２ａの残っている部分２０８ａ、および第２のハーフタイムスロット２０２ｂの残っている部分２０８ｂに送出される。
【００３３】
逆方向リンク電力制御
そのチャネルは常に全利用可能な電力で送信される順方向リンクと異なり、逆方向リンクは上述したように、通信システムの最大化された容量という目標を達成するために、その伝送は電力制御されるチャネルを含む。したがって、データの最大レートの推定に関する観点は逆方向リンクの状況において記述されるであろう。しかしながら、当業界において普通に熟練した人々は容易に認めるであろうように、これらの観点は、その順方向リンクもまた電力制御される通信システムにおける、順方向リンクに対しても等しく適用可能である。
【００３４】
ＩＳ‐８５６標準に従った通信システムに関する逆方向リンク伝送電力は、二つの電力制御ループ、開ループおよび閉ループによって制御される。開ループおよび閉ループの概念的な配列は図３に示される。第１の電力制御ループは開ループ制御である。開ループはブロック３０２内において逆方向リンク品質メトリックの推定値を発生する。一つの実施例においては、品質メトリックは経路損失である。推定された経路損失はそこで、他の要素たとえば基地局負荷に従って必要とされる送信電力（TxOpenLoopPwr）に変換される。図４内に示された一つの実施例においては、ブロック３０２（図３の）は受信された信号電力RxPwrを濾波する濾波器３０２を含む。濾波されたRxPwrは、基地局負荷に対する補償およびTxOpenLoopPwrへの変換を与えるパラメータＫとともにブロック３０４に与えられる。一つの実施例においては、ブロック３０４は、式（１）に従って濾波されたRxPwrおよびパラメータＫを結合する。
【００３５】
TxOpenLoopPwr＝Ｋ−Ｆ（RxPwr）                            （１）
ここでＦは濾波器３０２の伝達関数である。
一つの実施例においては、受信された信号はパイロットチャネル上に受信された信号である。当業界において普通に熟練した人は、開ループ推定処理に関する他の実施例が当業界においてよく知られ、そして等しく適用可能であることを認める。
【００３６】
図３に参照を戻して、閉ループの機能は、基地局における必要とされる品質信号の品質を達成するために、シャドウイング等の環境的に導入された現象を考慮に入れていない開ループ推定、および他のユーザ干渉を訂正することである。一つの実施例においては、必要とされる信号品質は信号対雑音比（ＳＮＲ：signal-to-noise ratio）を含む。目標は逆方向リンクの品質メトリックを測定し、そして測定の結果を加入者局に戻し報告することによって達成することが可能である。一つの実施例においては、基地局は逆方向リンク上に送信された参照信号を測定しそして帰還を加入者局に与える。加入者局は帰還信号に従って逆方向リンク伝送電力を調整する。一つの実施例においては、参照信号はパイロットＳＮＲを含み、そして帰還は加算器３０４内で加算されそして必要とされる閉ループ送信電力（TxClosedLoopAdj）を得るために基準化(scale)されるＲＰＣ命令を含む。開ループと同様に閉ループは当業界においてよく知られ、そして他の知られた実施例は、当業界において普通に熟練した人によって認められるように等しく適用可能である。
【００３７】
TxOpenLoopPwrおよびTxClosedLoopAdjは、TxPilotPwrを発生するためにブロック３０６内で加算される。TxPilotPwrの値は一般的に、必要とされるデータの逆方向リンクレート（rlRate：reverse link rate）の伝送に必要とされる全送信電力の値と異なる。したがって、TxPilotPwrは、必要とされるrlRateに対して調整する必要がある。これは、ブロック３０８内においてrlRateを電力に換算し、そして全送信電力（TxTotalPwr：total transmit power）を発生するために、換算の結果をブロック３１０内におけるTxPilotPwrを用いた換算の結果と結合することによって達成される。したがって、TxTotalPwrは、式（２）によって表現することが可能である。
【００３８】
TxTotalPwr＝TxOpenLoopPwr＋TxClosedLoopAdj＋PilotToTotalRatio(rlRate)
（２）
ここで、PilotToTotalRatioは、TxOpenLoopPwrおよびTxClosedLoopAdjおよびrlRateを決定するために用いた，信号のデータのレート間の換算を記述している関数である。
【００３９】
送信機の実行は、最大の許容可能な電力（TxMaxPwr）を有するために、TxTotalPwrはブロック３１２内で任意に制限することが可能である。一つの実施例においては、送信電力制限は図５に示された方法に従って実行される。方法はステップ５０２において開始し、そしてステップ５０４に続く。ステップ５０４において、TxTotalPwrはTxMaxPwrと比較される。もしもTxTotalPwrが、TxMaxPwrよりも小さいかあるいは等しい場合は、方法はステップ５０６に続き、そしてそこでTxPwrLimitedは、TxMaxPwrに等しいとセットされ、そうでない場合は方法はステップ５０８に続き、そしてそこで、TxPwrLimitedは、TxTotalPwrに等しいとセットされる。方法は、ステップ５１０で終了する。
【００４０】
以上に記述された電力制御方法からは次のとおりである。もしもTxTotalPwrが、TxMaxPwrよりも大きい場合は、送信された電力はTxMaxPwrに制限される。したがって、送信されたデータがＢＳにおいてうまく受信されそして復号されるであろう保証はない。したがって、データ推定器の最大認容可能なレートは、以下の実施例の中に記述されるように電力制御ループ内に含まれる。
【００４１】
最大認容可能なデータレート推定
図６は、逆方向リンクデータの最大認容可能なレート推定に関する概念的配列を示す。開ループはブロック６０２内において逆方向リンク品質メトリックの推定値を発生する。一つの実施例においては品質メトリックは経路損失である。推定された経路損失はそこで他の要素たとえば基地局負荷に従って、必要とされる送信電力TxOpenLoopPwrに換算される。一つの実施例においては、TxOpenLoopPwrは図４に従って推定される。TxOpenLoopPwrは将来のいつかにおけるTxOpenLoopPwrの値を予測することが可能なブロック６０４に与えられる。予測された出力は、TxOpenLoopPerdを示す。一つの実施例においてはブロック６０４は恒等式であり、したがって、TxOpenLoopPwrはブロック６０４により影響されない。その結果、TxOpenLoopPred＝ TxOpenLoopPwrである。ブロック６０４の他の実施例は、図７に示される。
【００４２】
図７に示されるように、TxOpenLoopPwrは、線形の、時刻により変化しない濾波器７０２に与えられる。一つの実施例においては、濾波器７０２は低域通過濾波器である。他の実施例においては、濾波器７０２は伝達関数Ｆ１＝１を有ししたがってTxOpenLoopPwrは濾波器７０２によって影響されない。濾波器７０２によって濾波されたTxOpenLoopPwrは濾波器７０４に与えられる。一つの実施例においては濾波器７０４はピーク濾波器である。ピーク濾波器の機能は図８を参照して説明される。
【００４３】
図８を参照して、時刻ｔ０において入力信号(Input signal)はピーク濾波器に与えられる。ピーク濾波器の出力の値、出力信号(Output signal)は、入力信号の値に初期化される。時刻ｔ０から時刻ｔ１まで、出力信号は入力信号を追跡する。時刻ｔ１において、入力信号はピークに達しそして衰退が始まる。出力信号は入力信号に追従することを中止し、そしてあらかじめ設定されたレートによって衰退を開始する。時刻ｔ２において、入力信号は出力信号に等しくなりそして増加を続ける。したがって出力信号は衰退を中止し、そして入力信号の追跡を開始する。
【００４４】
図６に参照を戻して、TxOpenLoopPredは、結合器ブロック６１０に与えられる。一つの実施例においては、結合器ブロック６１０は送信パイロット電力の予測（TxPilotPred）を発生するためにTxOpenLoopPredを閉ループ調整の予測（TxClosedLoopPred）と加算する加算器を含む。予測された閉ループ調整TxClosedLoopPredは、閉ループに対する帰還信号をブロック６０６に与えることによって推定される。一つの実施例においては、帰還信号はＲＰＣ命令を含みしたがってブロック６０６は加算器を含む。加算器の出力は、開ループ推定された送信電力に対する訂正の推定（TxClosedLoopAdj）を示す。TxClosedLoopAdjはブロック６０８に与えられる。一つの実施例においては、ブロック６０８は、図７に関して記述された濾波器すなわち任意の低域通過濾波器７０２および（任意ではない）ピーク濾波器７０４を含む。一つの実施例に従った、ピーク濾波器７０４のあらかじめ設定された衰退レートは、信号のフレーム当たり０．５ｄＢである。ピーク濾波器は次のようにして初期化される。一つのＡＴおよび一つのＡＰは、あらかじめ設定されたアクセス手順を用いて通信リンクを確立する。その部分としてＲＰＣチャネルが確立される。ＲＰＣチャネルは、時刻ｔ０において確立されたと仮定すると（図８を参照して）、ＲＰＣ命令はブロック６０８にそしてしたがってピーク濾波器７０４に与えられつつある。TxClosedLoopPred（図８の出力信号）はそこで、時刻ｔ０におけるTxClosedLoopAdjの値（図８の出力信号）に初期化される。
【００４５】
ブロック６１０に参照を戻して、TxPilotPredは結合器ブロック６１２に与えられる。結合器ブロック６１２はまた、伝送電力マージン（TxPwrMargin）を容認する。一つの実施例においては、（図示せず） TxPwrMarginは３ｄＢの省略時の値(default value)を有する定数である。他の実施例においては TxPwrMarginは停止事象に従ってブロック６１４によって動的に調整される。 TxPwrMarginを動的に調整するための方法は、以下に詳細に記述される。結合器ブロック６１２に参照を戻して、一つの実施例においては結合器ブロック６１２は加算器であり、従って出力、結合された伝送パイロット信号（TxPilotUpperBound）は、式（３）によって与えられる。
【００４６】
TxPilotUpperBound=TxOpenLoopPred+TxClosedLoopPred+TxPwrMargin
（３）
一般的にTxPilotPredの値は、望まれるデータの逆方向リンクレート（rlRate）の伝送に対して必要とされる全送信電力の値とは異なる。したがってTxPilotUpperBoundは、必要とされるrlRateに対して調整されることが必要である。このことは、ブロック６１６内においてrlRateを電力に換算することによって達成され、そして結合された全送信電力を発生するために、換算の結果をブロック６１８内においてTxPilotUpperBuondと結合する。与えられたrlRateは、もしも式（４）が満足される場合は認容可能であると見なされる。
【００４７】
TxPilotUpperBound＋PilotToTotalRatio（rlRate）＜TxMaxPwr          （４）
通信システムの特性を最適化するために、（式（４）に従って）認容可能な最高のデータレート（rlRatePredicted）の決定されることが望ましい。したがって、TxTotalPwrUpperBoundは、ブロック６２０内において伝送に対して利用可能な最大の電力（TxMaxPwr）と比較される。したがって、ブロック６２０は、式（４）の値を評価する。比較の結果はブロック６２２に与えられる。もしも式（４）が満足される場合は、ブロック６２２は、丁度試験されているrlRateよりもより高いrlRateを選択し、選択されたrlRateをブロック６１６に与え、そして処理は式（４）が維持されなくなるまで反復される。式（４）が満足される最高のレートが、rlRatePredictedとして出力される。当業界において普通に熟練した人は、ブロック６１８〜６２２が、汎用処理装置、ディジタル信号処理装置（ＤＳＰ：digital signal processor）、特定用途向け集積回路（ＡＳＩＣ：application specific integrated circuit）、フィールドプログラマブルゲートアレイ（ＦＰＧＡ：field programmable gate array）、あるいは他のプログラム可能な論理デバイス、ディスクリートゲートあるいはトランジスタ論理、ディスクリートハードウエアコンポーネント、あるいはこの中に記述された機能を実行するために設計されたこれらの任意の組み合わせを用いて、実現しあるいは実行することが可能であることを理解するであろう。この文書の目的に対して、上に挙げられたオプションの任意のものは一括して処理ブロックとして参照される。
【００４８】
データのレートにおけるデータの伝送に対して必要とされる電力の推定
あるいは、図６に示された装置が、あらかじめ設定されたレートにおける、データの伝送に対して必要とされる電力を推定するために利用されることが可能である。このような一つの実施例においては、あらかじめ設定されたrlRateは、上に記述されたようにTxTotalPowerUpperBoundの値を発生する。TxTotalPwrUpperBoundは、そこで出力されることが可能である（図示せず）。あるいは、TxTotalPwrUpperBoundは、１個あるいはそれ以上のしきい値と比較されるかも知れない。そして結果は、たとえば電力増幅器の状態を制御するために、送信機（通信デバイス）のエネルギー効率を改善するために使用されるかも知れない。したがってTxTotalPwrUpperBoundは、ブロック６２０内において１個あるいはそれ以上のしきい値と比較される。このようにしてブロック６２０は、式（４）の値を評価する。比較の結果はブロック６２２に与えられる。ブロック６２０は、式（４）が満足されるか否かの指示をブロック６２２に与え、そしてそれは、適切な出力たとえば、あらかじめ設定されたrlRateの値、対応するしきい値、および式（４）が満足されるか否かの表示を与える。もしも望まれる場合は、処理はすべての利用可能なrlRateおよびしきい値に対して反復される。
【００４９】
TxPwrMrg動的調整
論じたように、逆方向リンクチャネルは、ＡＴからアクセスネットワークに送信された物理レイヤチャネルを含む。図９は、典型的な逆方向リンク波形９００を示す。教育的理由のために、波形９００は、ＩＳ‐８５６標準に従って、上に挙げたシステムの逆方向リンク波形の後にモデル化される。しかしながら当業界において普通に熟練した人は、教えは異なった波形に対しても適用可能であることを理解するであろう。逆方向リンクチャネル９００はフレーム９０２に関して定義される。１個のフレームは１６個のタイムスロット９０４（ｎ）を含む構造であり、各タイムスロット９０４（ｎ）はタイムスロット期間１．６６ミリ秒、そして従ってフレーム期間２６．６６ミリ秒に対応する２０４８チップの長さである。
【００５０】
ＩＳ‐８５６標準に従って、データのレートは１個のフレーム境界においてのみ変化が可能である。一般的にrlRatePredictedの値は、そのフレームが逆方向リンク上にある期間中に送信されるべきデータのレートで到着するために、フレームのスタート以前のいくつかのスロットで決定されるであろう。rlRatePredictedの値は上に記述された実施例に従って、フレーム９０２（ｍ）のスタートのｋスロット（ｋ＞０）以前に、時刻ｔ０において決定されると仮定しよう。フレーム９０２（ｍ）のスタートにおいてＡＴは、開ループおよび閉ループ電力制御に従って、決定されたrlRatePredictedに対する送信電力必要条件の値を評価しそしてデータの送信を開始する。フレーム存続の期間中送信電力は、開ループ、および閉ループ電力制御の更新に従って調整される。したがって実際の送信電力は、決定されたrlRatePredictedに対応する、送信電力TxTotalPowerUpperBoundから異なるかも知れない。最大認容可能なデータレート推定に関する特性を評価するために、停止の概念が利用可能である。
【００５１】
ｎ番目のスロット９０２（ｍ番目）フレームは、もしもｎ番目のスロットにおけるrlRatePredictedに対して必要とされる電力が、時刻ｔ０においてrlRatePredictedに対して決定された電力よりも大きい場合は、すなわち、もしも式（５）
TxOpenLoop［16m+n］+TxClosedLoop［16m+n］+PilotToTotalRatio(rlRatePredicted［16m-k］)＞TxMaxPwr                                                  （５）
が満足される場合は、もしも９０２（ｍ番目）フレームのｎ番目のスロットが、形式Ａの停止にない場合は、そこで式（４）および（５）は
TxPilotPred［16m+n］+PilotToTotalRatio(rlRatePredicted［16m-k］)≦xPwrMargin
（６）
に続く。
９０２（ｍ番目）フレームのｎ番目のスロットは、もしもｎ番目のスロットにおけるrlRatePredictedに対して要求される電力が、時刻ｔ０におけるrlRatePredictedに対して決定された電力よりも大きい場合は、すなわちもしも式（７）が満足される場合は、形式Ｂの停止にあると定義される。
TxPilotUpperBound［16m+n］＞TxPilotUpperBound［16m-k］
ｎ＝０、１、…、１５              （７）
もしも９０２（ｍ番目）フレームのｎ番目のスロットが形式Ｂの停止にない場合は、そこで式（４）および（７）は
TxPilotPred［16m+n］+PilotToTotalRatio(rlRatePredicted［16m-k］)≦TxMaxPwr
（８）
に続く。
【００５２】
式（６）および（８）は、もしも時刻ｔ０において決定された、rlRatePredictedの値が、次のフレーム９０２（ｍ＋１番目）上にデータを送信するために使用される場合は、そこで逆方向リンクはフレーム９０２（ｍ＋１番目）のｎ番目のスロットの期間中電力制限はされない。
【００５３】
チャネル条件の変更を軽減するための種々の方法，たとえば誤り訂正、インタ−リービング、および当業界において普通に熟練した人には知られる他の方法に起因して、フレーム内の分離されたスロットの停止はパケット復号誤りの原因とはならず、しかしながら１個のフレーム内における余りに多くのスロットの停止はパケット復号誤りを引き起こすことが発見されてきている。通信システムの設計目標は、スロット停止の確率を制限し，パケット誤りに起因する最小の特性劣化を保証し、一方すべてのチャネル条件の下における逆方向リンクスループットを最大とすることである。TxPwrMarginを増加させる、式（３）、（４）、（６）および（８）からは、停止確率を減らすことが可能であり、一方TxPwrMarginを減らすことは予測される逆方向リンクデータレートを増加する。換言すれば、TxPwrMarginの大きい値は、より低いユーザスループットおよび多分減少された逆方向リンク容量に帰着する、予期される逆方向リンクデータレートに関する控えめな推定を与えるであろう。その結果他の実施例においては、TxPwrMarginの値は、停止確率を必要とされる値に維持するために、変化しているチャネル条件に従って動的に調整される。
【００５４】
TxPwrMarginを動的に調整することに関する一つの実施例においては、停止の発生はフレーム９０２（ｍ＋１番目）の各スロットに対して評価される。もしもスロット停止が発生する場合は、TxPwrMarginはPwrMarginUpStepだけ増加され、そうでない場合は、 TxPwrMarginはPwrMarginDownStepだけ減少される。一つの実施例においては、TxPwrMarginUpStep＝０．５ｄＢ、TxPwrMarginDownStep＝０．０５ｄＢである。TxPwrMarginの値はさらにTxPwrMarginMinおよびTxPwrMarginMaxの間に制限される。一つの実施例においては、TxPwrMarginMin＝０ｄＢ、そしてTxPwrMarginMax＝６ｄＢである。
【００５５】
他の実施例においては、もしもフレームがｊスロットの停止を有する場合は（０≦ｊ≦１６）、TxPwrMarginはTxPwrMarginStep［ｊ］だけ増加される。ここで、TxPwrMarginStep［ ］は、長さ１６のアレイである。アレイTxPwrMarginStep［ ］のいくつかのエレメントは、フレーム内の、少ない、分離されたスロット停止がパケット復号誤りの原因とはならないという上に記述された考察を考慮に入れるために、０であることが可能である。TxPwrMarginの値はさらにTxPwrMarginMinおよびTxPwrMarginMaxの間に制限される。
【００５６】
ラチェットモード
さらに、TxPwrMarginの動的調整に対して形式Ａの停止が使用される場合は、もしも決定されたrlRatePredictedが、より低い値からデータ値の最大許容可能なレート（rlRateMaxAllowable）に変化する場合、あるいはもしも決定されたrlRatePredictedが、より高い値からデータの最小レート（rlRateMinAllowable）に変化する場合は特別な更新モード、ラチェットモードが導入される。
【００５７】
もしも決定されたrlRatePredictedが、より低い値からrlRateMaxAllowableに変化する場合は、電力マージンの下側の境界(TxPwrMarginLow)は、現在のTxPwrMarginの値に等しくセットされる。もしもスロット停止が発生する場合は、TxPwrMarginは、PwrMarginUpStepだけ増加される。もしもスロット停止が発生しない場合は、式（９）
TxPwrMargin−PwrMarginDownStep≧TxPwrMarginLow                    （９）
の値が評価される。もしも式（９）が満足される場合は、TxPwrMarginは、PwrMarginDownStepだけ減少され、そうでない場合は、TxPwrMarginは、TxPwrMarginLowに等しくセットされる。決定されたrlRatePredictedが、データ値の最大許容可能レートから、より低い値に変化する場合は、TxPwrMarginLowは、TxPwrMarginMinにセットされる。ラチェットモードは、決定されたrlRatePredictedがrlRateMaxAllowable以下に減少する場合に離脱される。
【００５８】
もしも決定されたrlRatePredictedが、より高い値からrlRateMinAllowableに変化する場合は、電力マージンの上側の境界（TxPwrMarginUpper）は、TxPwrMarginの現在の値に等しくセットされる。もしもスロット停止が発生する場合は、式（１０）
TxPwrMargin＋PwrMarginUpStep≧TxPwrMarginUpper                  （１０）
の値が評価される。もしも式（１０）が満足される場合は、TxPwrMarginは変更されず、そうでない場合は、TxPwrMarginはPwrMarginUpStepだけ増加される。もしもスロット供給停止が発生しない場合は、TxPwrMarginはPwrMarginDownStepだけ減少される。決定されたrlRatePredictedがrlRateMinAllowableを超える場合はラチェットモードは離脱される。
【００５９】
ラチェットモードに関する他の実施例においては、もしもrlRatePredictedがrlRateMaxAllowableに等しく、そしてスロット停止が発生しない場合は、そこでTxPwrMarginは現在の値から変更されない。もしもスロット停止が発生する場合は、TxPwrMarginは、PwrMarginUpStepだけ増加される。もしもrlRatePredictedがrlRateMinAllowableに等しく、そしてスロット停止が発生する場合は、TxPwrMarginは、現在の値を変更されない。もしもスロット停止が発生しない場合は、TxPwrMarginは、PwrMarginDownStepだけ減少される。
【００６０】
図１１は、一つの実施例に従った停止事象検出器１１００を示す。その停止が決定されるべき信号（TxSignal）の伝送電力は参照信号（TxRefSignal）とともにブロック１１０２に与えられる。ブロック１１０２は、TxSignalがTxRefSignalよりも大きい場合は出力を与える。一つの実施例においてはブロック１１０２は比較器を含む。ブロック１１０２の出力はブロック１１０４に与えられる。ブロック１１０４はさらにブロック１１０６からタイミング信号を与えられる。ブロック１１０４は、TxSignalがTxRefSignalよりも大きくなる発生の数に関する情報を与える信号を出力する。
【００６１】
当業界において普通に熟練した人は、開ループおよび閉ループの両者によって実行される電力制御に関して種々の実施例が記述されたにもかかわらず、これらは教育的目的のみに対してなされたことを認めるであろう。明らかに、その上にＡＴがデータを送信する逆方向リンクに関する品質メトリックを、ＡＴが推定することを可能とするいかなる機構も満足できるものである。その結果、ＡＴが開ループのみを、あるいは閉ループのみを使用するとして実施例は等しく適用可能であろう。したがって、図６を参照して、もしも開ループのみが実行された（すなわちブロック６０６および６０８は除かれていた）場合は、図６から、実施例は有効であり、
TxOpenLoopPwr＝TxPilotPwr                                            （１１）
が実現される。
【００６２】
さらに、特定の場合において経路損失がゆっくりと変化する場合は、図６に関して記述された実施例は、ここではブロック１００２、１００６、１００８、１０１０、および１０１２の機能が、ブロック６０２、６０６、６０８、６１０、および６１２の機能と同一である図１０に示されるように、さらに簡素化されることが可能である。当業界において普通に熟練した人は、ブロック１０１２を閉ループブランチに移動することは、式（３）が維持されるゆえに、TxPilotPredUpperBoundの決定を変化させなかったことを認めるであろう。
【００６３】
当業界において普通に熟練した人は、フローチャートおよび方法に関して種々の実施例が記述されたにもかかわらず、これは教育的目的のみに対してなされたことを認めるであろう。方法は、一つの装置によって実行されることが可能であり、そしてそれは、一つの実施例においては送信機および受信機とインタフェースで接続された処理装置、あるいはＡＴおよび／あるいはＡＰにおける他の適切なブロックを含む。
【００６４】
当業界において普通に熟練した人は、情報および信号は異なった技術および技法の種類の任意のものの使用によって、表すことが可能であることを理解するであろう。たとえば、以上の記述を通じて参照されたかも知れない、データ、命令、指令、情報、信号、ビット、シンボル、およびチップは、電圧、電流、電磁波、磁場あるいは粒子、光学場あるいは粒子、あるいはこれらの任意の組み合わせによって示されることが可能である。
【００６５】
熟練した人々はさらに、この中に開示された実施例に関して記述された種々の例証的な論理ブロック、モジュール、回路、およびアルゴリズムステップは、電子的ハードウエア、計算機ソフトウエア、あるいは両者の組み合わせとして実現することが可能であることを認めるであろう。このハードウエア、およびソフトウエアの互換性を明らかに示すために、種々の例証的なコンポーネント、ブロック、モジュール、回路、およびステップが、一般的にそれらの機能の形で上に記述されてきている。これらの機能が、ハードウエア、あるいはソフトウエアとして実現されるか否かは、全システムに課せられたそれぞれの応用および設計制約による。熟練した技師は、各それぞれの応用に対して種々の方法で記述された機能を実現することが可能である。しかしこのような実現の決定は、本発明の範囲からの逸脱の原因として解釈されるべきではない。
【００６６】
この中に開示された実施例に関連して記述された、種々の例証的な論理ブロック、モジュール、および回路は、汎用処理装置、ディジタル信号処理装置（ＤＳＰ：digital signal processor）、特定用途向け集積回路（ＡＳＩＣ：application specific integrated circuit）、フィールドプログラマブルゲートアレイ（ＦＰＧＡ：field programmable gate array）あるいは他のプログラマブル論理デバイス、ディスクリートゲートあるいはトランジスタ論理、ディスクリートハードウエアコンポーネント、あるいはこの中に記述された機能を実行するように設計されたこれらの任意の組み合わせを用いて実現しあるいは実行することが可能である。汎用処理装置はマイクロ処理装置であるかも知れず、しかし代わりに、処理装置は任意の現用の処理装置、制御器、マイクロ制御器、あるいはステートマシンであるかも知れない。処理装置はまた、計算デバイスの組み合わせたとえば、ＤＳＰおよびマイクロ処理装置、複数のマイクロ処理装置、ＤＳＰコアと共の１個あるいはそれ以上のマイクロ処理装置、あるいは任意の他のこのような配列の組み合わせとして実現されるかも知れない。
【００６７】
この中に開示された実施例に関連して記述された方法あるいはアルゴリズムのステップは、直接にハードウエア内で、処理装置によって実行されるソフトウエアモジュール内で、あるいはこの二つの組み合わせ内で実施されるかも知れない。ソフトウエアモジュールはＲＡＭメモリ、フラッシュメモリ、ＲＯＭメモリ、ＥＰＲＯＭメモリ、ＥＥＰＲＯＭメモリ、抵抗器、ハードディスク、リムーバブルディスク、ＣＤ‐ＲＯＭ、あるいは当業界において知られる記憶媒体の任意の他の形態の中に置かれるかも知れない。典型的な記憶媒体は、処理装置が記憶媒体から情報を読み取り、そして情報を書き込むことが可能なように処理装置と結合されている。あるいは、記憶媒体は処理装置と一体化されるかも知れない。処理装置および記憶媒体はＡＳＩＣの中に置かれるかも知れない。ＡＳＩＣはユーザ端末の中に置かれるかも知れない。あるいは処理装置および記憶媒体はユーザ端末内にディスクリートコンポーネントとして置かれるかも知れない。
【００６８】
開示された実施例に関する上の記述は、当業界において熟練したいかなる人にも本発明を作成しあるいは使用することを可能とするために与えられる。これらの実施例に関する種々の修正が、当業界において熟練した人々には容易に明白であろうし、そしてこの中に定義された一般的原理は本発明の精神あるいは範囲から逸脱することなしに他の実施例に適用可能である。したがって、本発明はこの中に示された実施例に限定されることを意図したものではなく、しかしこの中に開示された原理および新規な特徴と矛盾のない最も広い範囲に一致されるべきものである。
【００６９】
この特許文書に関する開示の一部分は、資料(material)を含んでおり、そしてそれは、著作権保護の下にある。著作権所有者は、それが特許商標庁特許ファイルあるいは記録内に現れる場合は、特許文書あるいは特許開示に関する、いかなる人によるファクシミリ複写にも異議を有しないが、しかしそうでない場合は、何れにせよすべての著作権の権利を保有する。
【図面の簡単な説明】
【００７０】
【図１】図１は、ＨＤＲ通信システムに関する概念的線図を示す。
【図２】図２は、典型的な順方向リンク波形を示す。
【図３】図３は、逆方向リンク伝送電力制御に関する概念的配列を示す。
【図４】図４は、逆方向リンク品質推定器に関する概念的線図を示す。
【図５】図５は、送信電力制限に対する方法を示す。
【図６】図６は、逆方向リンク最大認容データレート推定の実施例に関する概念的配列を示す。
【図７】図７は、予測器の概念的線図を示す。
【図８】図８は、ピーク濾波器の概念的動作を示す。
【図９】図９は、典型的な逆方向リンク波形を示す。
【図１０】図１０は、逆方向リンク最大認容データレート推定の他の実施例に関する概念的配列を示す。
【図１１】図１１は、一つの実施例に従った停止事象検出器を示す。
【符号の説明】
【００７１】
１００…ＡＰ、  １０２…ＡＰ、  １０４…ＡＴ、  １０６…順方向リンク、  １０８…逆方向リンク、  １１０…制御器、  １１２…バックハウル、  ２００…順方向リンク波形、  ２０２…タイムスロット、  ２０２ａ…第１のハーフタイムスロット、  ２０２ｂ…第２のハーフタイムスロット、  ２０４…パイロットバースト、  ２０６…順方向媒体アクセス制御チャネル、  ３０２…濾波器、  ３０４…加算器、  ６１０…結合器ブロック、  ６１２…結合器ブロック、  ７０２…濾波器、  ７０４…濾波器、  ９００…逆方向リンク波形、  ９０２…フレーム、  ９０４…タイムスロット、  １１００…停止事象検出器
【図１】
2005527137.tif 000003
【図２】
2005527137.tif 000004
【図３】
2005527137.tif 000005
【図４】
2005527137.tif 000006
【図５】
2005527137.tif 000007
【図６】
2005527137.tif 000008
【図７】
2005527137.tif 000009
【図８】
2005527137.tif 000010
【図９】
2005527137.tif 000011
【図１０】
2005527137.tif 000012
【図１１】
2005527137.tif 000013
【国際調査報告】
2005527137.tif 000014
2005527137.tif 000015
2005527137.tif 000016
2005527137.tif 000017
2005527137.tif 000018